(57)【要約】【課題】複数の監視カメラを備えた監視カメラシステムにおいて、画像の選択、分割画面の切換え等の複雑な操作をジョイスティックによって簡便に行なう。【解決手段】監視カメラ１２ａ、１２ｂ、…で撮影した画像を画像記録装置２１に記録すると共に画像切換器２２を介してマルチプレクサ２３へ出力する。画像記録装置２１、画像切換器２２及びマルチプレクサ２３は、制御部２５からの制御指令に従って動作する。制御部２５には、操作用端末装置２６及びジョイスティック２７が接続される。ジョイスティック２７は、操作方向によってモニタ２４に表示する画像の切換え、単画面と分割画面の切換え等を行なうと共に、録画画像の再生時に早送りや巻戻し等を行なう。制御部２５は、画像記録装置２１に対する画像の再生制御を行なうと共に画像切換器２２に対して画像切換制御を行ない、更にマルチプレクサ２３に対して単画面、多分割画面の制御を行なう。【選択図】      図２
2006262133.tif 000002
【特許請求の範囲】
【請求項１】
複数の監視エリアを複数の監視カメラで撮影し、該監視カメラの撮影画像をモニタ上に表示して監視する監視カメラシステムにおいて、
前記モニタに表示する画像の選択及び単画面あるいは多分割画面の切換えを指示する操作用端末装置と、前記操作用端末装置の表示画面に対して操作指示を行なうジョイスティックとを具備し、
前記操作用端末装置の画面上に前記複数の監視エリアをマトリックス状に表示すると共に前記ジョイスティックの操作方向とカメラ画像の選択とを対応付け、前記ジョイスティックの操作に応じて前記操作用端末装置の画面上に表示されている監視エリアに対するカメラ画像の選択制御を行なうことを特徴とする監視カメラシステム。
【請求項２】
複数の監視エリアを複数の監視カメラで撮影し、該監視カメラの撮影画像をモニタ上に表示して監視する監視カメラシステムにおいて、
前記各監視エリアにそれぞれ設けられる複数の警報センサと、
前記モニタに表示する画像の選択及び単画面あるいは多分割画面の切換えを指示する操作用端末装置と、
前記操作用端末装置の画面上に前記複数の監視エリアをマトリックス状に表示し、隣接する監視エリアのカメラ画像選択を前記操作用端末装置の画面上に表示された監視エリアの選択によって行なうカメラ画像選択手段とを具備し、
前記操作用端末装置は、前記各監視エリアにおける監視カメラの選択操作記録及び前記各警報センサの警報アラーム記録から各監視エリアの重要度を計算し、重要度の高い監視エリアのカメラ画像を優先して前記モニタに表示することを特徴とする監視カメラシステム。
【請求項３】
複数の監視エリアを複数の監視カメラで撮影し、該監視カメラの撮影画像をモニタ上に表示して監視する監視カメラシステムにおいて、
前記各監視エリアにそれぞれ設けられる複数の警報センサと、
前記モニタに表示する画像の選択及び単画面あるいは多分割画面の切換えを指示する操作用端末装置と、
前記操作用端末装置の画面上に前記複数の監視エリアをマトリックス状に表示し、隣接する監視エリアのカメラ画像選択を前記操作用端末装置の画面上に表示された監視エリアの選択によって行なうカメラ画像選択手段とを具備し、
前記操作用端末装置は、前記各監視エリアにおける監視カメラの選択操作記録及び前記各警報センサの警報アラーム記録から各監視エリアの重要度を計算すると共に、該各監視エリアの重要度の推移を空間的及び時間的に計算し、重要度が高くなる特定時間及び特定エリア範囲を予測し、前記予測した特定時間に近付いたときに前記特定エリア範囲のカメラ画像を選択して前記モニタに表示することを特徴とする監視カメラシステム。
【発明の詳細な説明】
【技術分野】
【０００１】
本発明は、複数のエリアをエリア単位に設けられる複数のカメラで監視する監視カメラシステムに関する。
【背景技術】
【０００２】
従来、例えば河川、発電所、車両基地、駅構内、空港内など広範囲に亘るエリアを監視カメラにより監視する場合、広範囲なエリアを複数のエリアに分割して各分割したエリア単位に監視カメラを配置し、各監視カメラにより撮影した画像を監視センタに伝送してモニタにより監視している。上記監視カメラシステムでは、監視エリアの広さによって異なるが、例えば数十台〜数百台の監視カメラが使用される。そして、上記全てのカメラ画像をモニタに表示する場合、カメラ台数分のモニタを設置して単画面表示するか、カメラ台数を分割画面で割った台数分のモニタを設置する必要があるが、何れにしても監視者はカメラ台数分の画像を監視する必要がある（例えば、特許文献１または特許文献２参照。）。
【０００３】
また、複数のカメラから画像を選択表示する場合、マウス等の手動操作により見たい画像を選択するか、あるいはシーケンシャルに切換えて表示している。
【特許文献１】特開平９−１６３３６０号公報
【特許文献２】特開２００２−９４８９８号公報
【発明の開示】
【発明が解決しようとする課題】
【０００４】
上記のように広範囲なエリアを複数のエリアに分割して各分割したエリア単位に監視カメラを配置し、各監視カメラにより撮影した画像を監視センタに伝送してモニタにより監視するシステムにおいて、カメラ台数分のモニタを設置して単画面表示する方法では、モニタの数が非常に多くなり、コストが増大するという問題がある。また、モニタ画面を複数に分割し、各分割画面に各監視カメラの画像を表示する方法では、モニタの台数を少なくしてコストを低減することが可能であるが、複数の監視カメラの中からマウス等の手動操作により見たい画像を選択するか、シーケンシャルに切換えて表示する必要があり、カメラ台数が増えれば増えるほど、画面の切換操作が非常に複雑になるという問題があった。
【０００５】
本発明は上記の課題を解決するためになされたもので、複数のエリアを複数の監視カメラで撮影して監視する場合に、ジョイスティックによる簡単な操作により、単画面または分割画面上においてブロック単位でスクロール表示して監視ポイントを視覚的に容易に選択できる監視カメラシステムを提供することを目的とする。
【０００６】
また、本発明は、各監視エリアの重要度を判定し、重要度の高い監視エリアのカメラ画像を優先してモニタに表示することができる監視カメラシステムを提供することを目的とする。
【０００７】
更に、本発明は、重要度が高くなる特定時間及び特定エリア範囲を予測し、その予測した特定時間に近付いたときに自動的に画面表示を予測されたエリア範囲の画面に切換えて表示することができる監視カメラシステムを提供することを目的とする。
【課題を解決するための手段】
【０００８】
第１の発明は、複数の監視エリアを複数の監視カメラで撮影し、該監視カメラの撮影画像をモニタ上に表示して監視する監視カメラシステムにおいて、前記モニタに表示する画像の選択及び単画面あるいは多分割画面の切換えを指示する操作用端末装置と、前記操作用端末装置の表示画面に対して操作指示を行なうジョイスティックとを具備し、前記操作用端末装置の画面上に前記複数の監視エリアをマトリックス状に表示すると共に前記ジョイスティックの操作方向とカメラ画像の選択とを対応付け、前記ジョイスティックの操作に応じて前記操作用端末装置の画面上に表示されている監視エリアに対するカメラ画像の選択制御を行なうことを特徴とする。
【０００９】
第２の発明は、複数の監視エリアを複数の監視カメラで撮影し、該監視カメラの撮影画像をモニタ上に表示して監視する監視カメラシステムにおいて、前記各監視エリアにそれぞれ設けられる複数の警報センサと、前記モニタに表示する画像の選択及び単画面あるいは多分割画面の切換えを指示する操作用端末装置と、前記操作用端末装置の画面上に前記複数の監視エリアをマトリックス状に表示し、隣接する監視エリアのカメラ画像選択を前記操作用端末装置の画面上に表示された監視エリアの選択によって行なうカメラ画像選択手段とを具備し、前記操作用端末装置は、前記各監視エリアにおける監視カメラの選択操作記録及び前記各警報センサの警報アラーム記録から各監視エリアの重要度を計算し、重要度の高い監視エリアのカメラ画像を優先して前記モニタに表示することを特徴とする。
【００１０】
第３の発明は、複数の監視エリアを複数の監視カメラで撮影し、該監視カメラの撮影画像をモニタ上に表示して監視する監視カメラシステムにおいて、前記各監視エリアにそれぞれ設けられる複数の警報センサと、前記モニタに表示する画像の選択及び単画面あるいは多分割画面の切換えを指示する操作用端末装置と、前記操作用端末装置の画面上に前記複数の監視エリアをマトリックス状に表示し、隣接する監視エリアのカメラ画像選択を前記操作用端末装置の画面上に表示された監視エリアの選択によって行なうカメラ画像選択手段とを具備し、前記操作用端末装置は、前記各監視エリアにおける監視カメラの選択操作記録及び前記各警報センサの警報アラーム記録から各監視エリアの重要度を計算すると共に、該各監視エリアの重要度の推移を空間的及び時間的に計算し、重要度が高くなる特定時間及び特定エリア範囲を予測し、前記予測した特定時間に近付いたときに前記特定エリア範囲のカメラ画像を選択して前記モニタに表示することを特徴とする。
【００１１】
また、本発明は、複数の監視エリアを複数の監視カメラで撮影し、該監視カメラの撮影画像をモニタ上に表示して監視する監視カメラシステムにおいて、監視カメラにより撮影した画像を録画する場合に、撮影画像を全て記録する画像記録装置と共に重要エリアの撮影画像のみを記録する特定画像記録装置を設けたことを特徴とする。
【発明の効果】
【００１２】
本発明によれば、画像の選択、分割画面の切換、録画画像の再生制御といった複雑な操作をジョイスティックの手動操作によって画面を見ながら簡便に行なうことができる。
【００１３】
また、操作用端末装置において、各監視エリアにおける監視カメラの選択操作記録及び各警報センサの警報アラーム記録から各監視エリアの重要度を計算することにより、重要度の高い監視エリアのカメラ画像を優先してモニタに表示することができる。例えば単画面表示の場合には、重要度の高いエリアから順番に単画面自動切換を行なったり、多分割画面表示の場合には、重要度の高いエリアほどモニタの画面の中心に表示したりすることが可能になる。
【００１４】
また、上記各監視エリアの重要度の推移を空間的及び時間的に計算し、重要度が高くなる特定時間及び特定エリア範囲を予測することで、例えば犯罪が発生するエリアや時間等を予測することが可能になる。
【発明を実施するための最良の形態】
【００１５】
以下、図面を参照して本発明の実施形態を説明する。  
（第１実施形態）
図１は、複数の監視エリア１１ａ、１１ｂ、…を多数の監視カメラ１２ａ、１２ｂ、…で監視する監視カメラシステムのイメージ図である。この場合、上記監視エリア１１ａ、１１ｂ、…は、隣接して連続しているものとし、また、各監視カメラ１２ａ、１２ｂ、…は、対応する監視エリア１１ａ、１１ｂ、…を撮影するものとする。
【００１６】
図２は、本発明の第１実施形態に係る監視カメラシステムのシステム系統図である。上記監視カメラ１２ａ、１２ｂ、…は、図１に示した各監視エリア１１ａ、１１ｂ、…を撮影し、その撮影画像を例えばデジタルレコーダ等の画像記録装置２１へ出力する。この画像記録装置２１は、監視カメラ１２ａ、１２ｂ、…で撮影された全画像を記録すると共に、上記監視カメラ１２ａ、１２ｂ、…の撮影画像あるいは記録した画像を再生して画像切換器（マトリックススイッチャ）２２を介してマルチプレクサ（カメラ画像選択装置）２３へ送出する。このマルチプレクサ２３には、大画面のモニタ２４が接続される。
【００１７】
上記画像記録装置２１、画像切換器２２及びマルチプレクサ２３は、制御部２５からの制御指令に従って動作する。上記制御部２５には、画像切換操作、録画画像再生操作を行なうための操作用端末装置２６及びジョイスティック２７が接続される。上記操作用端末装置２６としては、例えばパーソナルコンピュータが使用される。また、ジョイスティック２７は、その操作方向とカメラ画像の選択動作等が予め対応付けて設定されており、詳細を後述するように操作方向によって、モニタ２４に表示する画像の切換、単画面と分割画面の切換等を行なうと共に、録画画像の再生時に早送りや巻戻し等を行なう。
【００１８】
上記制御部２５は、操作用端末装置２６からの指示及びジョイスティック２７の操作に従って動作し、画像記録装置２１に対する録画及び録画画像の再生制御や、画像切換器２２に対する画像切換制御を行なうと共に、マルチプレクサ２３に対して単画面、４画面など分割画面の制御を行なう。マルチプレクサ２３は、制御部２５からの制御指令に従って動作し、モニタ２４に単画面、４分割画面、９分割画面、１６分割画面を表示する。
【００１９】
また、図１に示した各監視エリア１１ａ、１１ｂ、…には、上記監視カメラ１２ａ、１２ｂ、…と共に例えばパッシブセンサや赤外線センサなどの警報センサ２８ａ、２８ｂ、…が設置され、侵入者などを検知した際にその検知信号が制御部２５へ送られる。制御部２５は、警報センサ２８ａ、２８ｂ、…からの検知信号に基づいて侵入者などを検知した場合に発報動作を行なう共に、作動した警報センサと同じ監視エリアに設けられている監視カメラの画像を画像切換器２２で選択してモニタ２４に表示する機能を備えている。
【００２０】
図３（ａ）は操作用端末装置２６のディスプレイ２６ａに表示される操作画面３０を示し、図３（ｂ）はモニタ２４における単画面と、４分割、９分割、１６分割の多分割画面を示している。上記操作画面３０には、各監視エリア１１ａ、１１ｂ、…が全てあるいは表示可能な範囲で例えば升目状に表示される。図３（ａ）では、上記操作画面３０に８０個の監視エリア１１ａ、１１ｂ、…が表示されている状態を示している。操作用端末装置２６の操作画面に監視エリア１１ａ、１１ｂ、…の全てを表示できない場合には、スクロールすることによって任意の監視エリアを表示できるようにする。
【００２１】
そして、上記操作用端末装置２６の操作画面において、例えばマウスカーソルで表示エリア３１を選択すると、この表示エリア３１に応じて図３（ｂ）に示すように単画面あるいは４分割画面、９分割画面等の多分割画面がモニタ２４に表示される。図３（ｂ）では、マウスカーソルで９つのエリアを表示エリア３１として選択した場合を示しており、この場合には選択した表示エリア３１の９分割画面がモニタ２４に表示される。
【００２２】
次に、ジョイスティック２７のキー操作について説明する。  
図４（ａ）はジョイスティック２７を横から見た図、図４（ｂ）はジョイスティック２７を上から見た図である。ここで、上記操作用端末装置２６の操作画面上の表示エリア３１をＸＹ座標でＥＸ,Ｙと表記するものとする。  
なお、選択されたエリアと隣接するエリアのとの関係は、図５に示すように設定する。すなわち、エリアＥｉ,ｊが選択されているとき（エリアＥｉ,ｊが単画面表示されているとき）、上方向の隣接エリアをＥｉ,ｊ＋１、右方向の隣接エリアをＥｉ＋１,ｊ、下方向の隣接エリアをＥｉ,j−１、左方向の隣接エリアをＥｉ−１,ｊとする。
【００２３】
以下にジョイスティック２７のキー操作と画像切換動作との関係を説明する。  
（１）図５に示すようにエリアＥｉ,ｊが選択されているとき（エリアＥｉ,ｊが単画面表示されているとき）、ジョイスティック２７を方向ａ（上方向）に操作すると、モニタ２４にＥｉ,ｊ＋１が表示される。
【００２４】
（２）エリアＥｉ,ｊが選択されているとき（エリアＥｉ,ｊが単画面表示されているとき）、ジョイスティック２７を方向ｂ（右方向）に操作すると、モニタ２４にＥｉ＋１,ｊが表示される。
【００２５】
（３）エリアＥｉ,ｊが選択されているとき（エリアＥｉ,ｊが単画面表示されているとき）、ジョイスティック２７を方向ｃ（下方向）に操作すると、モニタ２４にエリアＥｉ,j−１が表示される。
【００２６】
（４）エリアＥｉ,ｊが選択されているとき（エリアＥｉ,ｊが単画面表示されているとき）、ジョイスティック２７を方向ｄ（左方向）に操作すると、モニタ２４にエリアＥｉ−１,ｊが表示される。
【００２７】
（５）図６に示すようにエリアＥｉ,ｊ、Ｅｉ＋１,ｊ、Ｅｉ,ｊ＋１、Ｅｉ＋１,ｊ＋１が選択されているとき（４分割画面が表示されているとき）、ジョイスティック２７を方向ａ（上方向）に操作すると、モニタ２４にエリアＥｉ,ｊ＋１、Ｅｉ＋１,ｊ＋１、Ｅｉ,ｊ＋２、Ｅｉ＋１,ｊ＋２が表示される。
【００２８】
（６）以下同様にジョイスティック２７を方向ｂ（右方向）に操作すると、モニタ２４にエリアＥｉ＋１,ｊ、Ｅｉ＋２,ｊ、Ｅｉ＋１,ｊ＋１、Ｅｉ＋２,ｊ＋１が表示される。
【００２９】
（７）ジョイスティック２７を方向ｃ（下方向）に操作すると、モニタ２４にエリアＥｉ,ｊ−１、Ｅｉ＋１,ｊ−１、Ｅｉ,ｊ、Ｅｉ＋１,ｊが表示される。
【００３０】
（８）ジョイスティック２７を方向ｄ（左方向）に操作すると、モニタ２４にエリアＥｉ−１,ｊ、Ｅｉ,ｊ、Ｅｉ−１,ｊ＋１、Ｅｉ,ｊ＋１が表示される。
【００３１】
また、９分割、１６分割の場合も同様にジョイスティック２７の方向操作を行なう毎に、操作画面上における表示エリア３１の全体が操作した方向に動いているように制御部２５により画像切換器２２に対して画像切換制御が行なわれる。これにより上記表示エリア３１に対する撮影画像がブロック単位でスクロールしているようにモニタ２４に表示される。
【００３２】
（９）また、図７に示すようにエリアＥｉ,ｊが選択されているとき（エリアＥｉ,ｊが単画面表示されているとき）、ジョイスティック２７を図４（ａ）に示すように方向ｇ（手前方向）に操作すると、モニタ２４にエリアＥｉ,ｊ、Ｅｉ＋１,ｊ、Ｅｉ,ｊ＋１、Ｅｉ＋１,ｊ＋１が４分割表示される。
【００３３】
（１０）更に、ジョイスティック２７を方向ｇ（手前方向）に操作すると、モニタ２４にエリアＥｉ−１,ｊ−１、Ｅｉ,ｊ−１、Ｅｉ＋１,ｊ−１、Ｅｉ−１,ｊ、Ｅｉ,ｊ、Ｅｉ＋１,ｊ、Ｅｉ,ｊ＋１、Ｅｉ＋１,ｊ＋１が９分割表示される。
【００３４】
（１１）更に、ジョイスティック２７を方向ｇ（手前方向）に操作すると、モニタ２４にエリアＥｉ−１,ｊ−１、Ｅｉ,ｊ−１、Ｅｉ＋１,ｊ−１、Ｅｉ＋２,ｊ−１、Ｅｉ−１,ｊ、Ｅｉ,ｊ、Ｅｉ＋１,ｊ、Ｅｉ＋２,ｊ、Ｅｉ−１,ｊ＋１、Ｅｉ,ｊ＋１、Ｅｉ＋１,ｊ＋１、Ｅｉ＋２,ｊ＋１、Ｅｉ−１,ｊ＋２、Ｅｉ,ｊ＋２、Ｅｉ＋１,ｊ＋２、Ｅｉ＋２,ｊ＋２が１６分割表示される。
【００３５】
すなわち、ジョイスティック２７を方向ｇ（手前方向）に操作すると、画面が単画面→４画面→９画面→１６画面と、より広域表示の方向へ、逆にジョイスティック２７を方向ｈ（奥方向）に操作すると、画面が１６画面→９画面→４画面→単画面と、より拡大表示の方向へ表示が切り換わる。
【００３６】
また、画像記録装置２１に録画した画像を再生する際、時間サーチを行なうと、すなわち操作用端末装置２６から日時を入力すると、現在表示されているエリアについて選択された日時の画像が再生されてモニタ２４に表示される。このときジョイスティック２７を方向ｅ（右回転方向）に操作すると早送り動作となり、方向ｆ（左回転方向）に操作すると巻き戻し動作となる。
【００３７】
以上のように画像の選択、分割画面の切換、録画画像の再生制御といった複雑な操作をジョイスティック２７の手動操作によって操作用端末装置２６の画面を見ながら簡便に行なうことができる。
【００３８】
上記第１実施形態では、複雑な操作をジョイスティック２７によって簡便に行なう機能の他に、操作用端末装置２６により各監視エリア１１ａ、１１ｂ、…毎の重要度をリアルタイムで計算して時系列でログ管理（記録管理）し、重要度の高い監視エリアのカメラ画像を優先してモニタ２４に表示する機能を備えている。例えば上記重要度に基づいてモニタ画面を自動的に切換え、あるいは多分割画面の表示制御を行なうもので、その詳細については後述する。上記重要度とは、モニタ２４に各監視エリア１１ａ、１１ｂ、…の画像が表示された回数（画像が選択された回数）と各監視エリア１１ａ、１１ｂ、…に設けられている警報センサ２８ａ、２８ｂ、…が発報した警報アラームの合計である。
【００３９】
図８は、各監視エリア１１ａ、１１ｂ、…毎の重要度をグラフ化したもので、重要度の高いものほど、グラフの表示レベルが高くなっている。  
また、図９（ａ）、（ｂ）は、算出された重要度を画面の自動切換及び多分割画面表示に応用した例を示したものである。すなわち、操作用端末装置２６で計算された重要度に従って制御部２５が画像切換器２２を制御して画面の切換を行なうもので、図９（ａ）に示すように重要度の高いエリアから順番に単画面自動切換を行なう。この場合、各エリアの表示時間に差を設け、重要度の高い順から長時間表示を行なう。例えば重要度が１番高いエリアから１０秒、８秒、６秒・・・というように、重要度の高いエリアほど長時間監視できるように設定する。
【００４０】
また、多分割画面表示の場合、例えば図９（ｂ）に示すように１６分割画面を表示する際、重要度の高いエリアほどモニタ２４の画面の中心に表示するように、例えば重要度の高い順に中心から螺旋状に画面表示するように設定する。
【００４１】
モニタ２４の表示画面を監視する監視者は、一般的に特定のエリア範囲を特定の時間に重点的に監視する傾向にあり、また、侵入者の軌跡は特定のエリア範囲に集中するため、重要度は隣接するエリアや同一エリアでの前後時間で相関性がある。この相関性を利用して監視者のモニタ操作の傾向や警報アラームの発報の傾向を捉え、見たい画像を自動的に表示させることで監視業務をより効率的にすることができる。
【００４２】
図１０（ａ）は選択されたエリアＥｉ,ｊと隣接エリアの関係を示し、図１０（ｂ）は選択されたエリアＥｉ,ｊの連続する時間の変化を示している。なお、ｔ時間の重要度をＩｉ,ｊ（ｔ）とする。
【００４３】
エリアＥｉ,ｊのｔ時間におけるエリア重要度の空間相関性は、
Ｉｉ,ｊ（ｔ）−Ｉｉ−１,ｊ（ｔ）
Ｉｉ,ｊ（ｔ）−Ｉｉ,ｊ−１（ｔ）
Ｉｉ,ｊ（ｔ）−Ｉｉ＋１,ｊ（ｔ）
Ｉｉ,ｊ（ｔ）−Ｉｉ,ｊ＋１（ｔ）
で表され、差が０に近いほど空間相関性が高い。
【００４４】
また、エリアＥｉ,ｊのｔ時間におけるエリア重要度の時間相関性は、
Ｉｉ,ｊ（ｔ＋１）−Ｉｉ,ｊ（ｔ）
Ｉｉ,ｊ（ｔ）−Ｉｉ,ｊ（ｔ−１）
で表され、差が０に近いほど時間相関性が高い。
【００４５】
操作用端末装置２６は、以上の２つの相関性と重要度Ｉｉ,ｊ（ｔ）から、重要度が高くなる特定時間及び特定エリア範囲を予測し、時間が近付いたら制御部２５に制御指令を与え、モニタ２４の画面表示を自動的に予測されたエリア範囲の画面に切換えて表示する。
【００４６】
上記のように操作用端末装置２６において、各監視エリアの重要度の推移を空間的及び時間的に計算し、重要度が高くなる特定時間及び特定エリア範囲を予測することで、例えば犯罪が発生するエリアや時間等を予測することが可能になる。
【００４７】
なお、上記第１実施形態では、監視カメラ１２ａ、１２ｂ、…により撮影された画像を全て記録する画像記録装置２１を設けた場合について示したが、その他、操作用端末装置２６で重要エリアと判断されたエリアの撮影画像のみを記録する特定画像記録装置を設けても良い。
【００４８】
（第２実施形態）
次に本発明の第２実施形態に係る監視カメラシステムについて説明する。  
この第２実施形態は、図１１に示すように監視カメラシステムをネットワークシステムに応用した場合の例を示したものである。監視カメラ１２ａ、１２ｂ、…により撮影された画像は、制御機器部４１に入力される。この制御機器部４１は、図２に示した第１実施形態における制御部２５及び操作用端末装置２６等からなり、監視カメラ１２ａ、１２ｂ、…により撮影された監視画像の中から重要エリアを識別する。上記制御機器部４１は、監視カメラ１２ａ、１２ｂ、…により撮影された監視画像及び重要エリアを示す情報をネットワーク配信装置４２によりネットワーク４３へ出力する。このネットワーク４３には、画像記録装置（ネットワークデジタルレコーダ）４４、特定画像記録装置（ネットワークデジタルレコーダ）４５及び管理サーバ４６が接続される。上記画像記録装置４４は、例えば監視カメラ１２ａ、１２ｂ、…に対応して複数設けられ、上記ネットワーク配信装置４２からネットワーク４３を介して配信される監視カメラ１２ａ、１２ｂ、…の撮影画像を全て記録する。また、特定画像記録装置４５は、重要エリアの画像を記録するためのものである。
【００４９】
上記管理サーバ４６は、ネットワーク４３を介して配信される監視カメラ１２ａ、１２ｂ、…の撮影画像を全て画像記録装置４４に記録すると共に、制御機器部４１からネットワーク４３を介して送られてくる重要エリア情報に基づいて、監視カメラ１２ａ、１２ｂ、…の撮影画像の中から重要エリアの撮影画像のみをリアルタイムに選択して特定画像記録装置４５に記録する。
【００５０】
上記第２実施形態によれば、監視カメラ１２ａ、１２ｂ、…で撮影された画像は、全て画像記録装置４４に記録され、更に、制御機器部４１で重要エリアと判定された画像については特定画像記録装置４５に記録される。すなわち、制御機器部４１で判定された重要な情報については、画像記録装置４４と特定画像記録装置４５で二重に管理することができる。また、画像記録装置４４は、監視カメラ１２ａ、１２ｂ、…により撮影された画像を全て録画するので大容量のものが要求されるが、その録画容量は限られているため、特定画像記録装置４５の容量を増加することで、重要な画像のみを長時間保存することが可能になる。
【図面の簡単な説明】
【００５１】
【図１】本発明の第１実施形態に係る監視カメラシステムにおいて、複数の監視エリアを多数の監視カメラで監視する場合のイメージ図である。
【図２】同実施形態に係る監視カメラシステムのシステム系統図である。
【図３】（ａ）は同実施形態における操作用端末装置に表示される操作画面を示す図、（ｂ）はモニタに表示される単画面と、４分割、９分割、１６分割の多分割画面を示す図である。
【図４】同実施形態におけるジョイスティックの操作を説明するための図である。
【図５】同実施形態において、選択されたエリアと隣接するエリアのとの関係を示す図である。
【図６】同実施形態において、４分割画面が表示されているときにジョイスティックを上下左右方向に操作したときの表示エリアの状態変化を示す図である。
【図７】同実施形態において、単画面表示されているときにジョイスティックを手前及び奥方向に操作したときの単画面及び多分割画面の状態変化を示す図である。
【図８】同実施形態において、各監視エリア毎の重要度をグラフ化して示す図である。
【図９】同実施形態において、操作用端末装置で算出された重要度を画面の自動切換及び多分割画面表示に応用した例を示す図である。
【図１０】同実施形態において、選択されたエリアと隣接エリアの関係及び選択されたエリアの連続する時間の変化を示す図である。
【図１１】本発明の第２実施形態に係る監視カメラシステムのシステム系統図である。
【符号の説明】
【００５２】
１１ａ、１１ｂ、…、…監視エリア、１２ａ、１２ｂ、…、…監視カメラ、２１…画像記録装置、２２…画像切換器、２３…マルチプレクサ、２４…モニタ、２５…制御部、２６…操作用端末装置、２６ａ…ディスプレイ、２７…ジョイスティック、２８ａ、２８ｂ、…、…警報センサ、３０…操作画面、３１…表示エリア、４１…制御機器部、４２…ネットワーク配信装置、４３…ネットワーク、４４…画像記録装置、４５…特定画像記録装置、４６…管理サーバ。
【図１】
2006262133.tif 000003
【図２】
2006262133.tif 000004
【図３】
2006262133.tif 000005
【図４】
2006262133.tif 000006
【図５】
2006262133.tif 000007
【図６】
2006262133.tif 000008
【図７】
2006262133.tif 000009
【図８】
2006262133.tif 000010
【図９】
2006262133.tif 000011
【図１０】
2006262133.tif 000012
【図１１】
2006262133.tif 000013